(57)【要約】【課題】  照明を小エリアごとに区分制御可能にして、光のパーティションを実現する。【解決手段】  コントローラＣは、人を検出する検出手段２，３の検出情報に基づいて全エリアＥの人数を演算する機能と、全エリアＥの人数に対応して、照明Ｌ１〜Ｌ６を制御する小エリアｅ１〜ｅ６を特定する機能と、上記特定された小エリアにおける照明を人数に応じて制御する機能とを備えている。したがって、大きな広さを持った室であって、その利用者が状況に応じてまちまちの施設に用いるのに最適である。【選択図】  図１
2015032571.tif 000002
【特許請求の範囲】
【請求項１】
特定の全エリアを疑似的に複数の小エリアに区分し、これら小エリア単位で制御可能な照明と、
人を検出する検出手段と、
上記小エリアと照明との対応関係を記憶する記憶手段と、
上記照明を制御するコントローラとからなり、
上記コントローラは、
上記検出手段の検出情報に基づいて上記全エリアの人数を演算する機能と、
全エリアの人数に対応して、照明を制御する小エリアを特定する機能と、
上記特定された小エリアにおける照明を、制御する機能と
を備えた自動調光システム。
【請求項２】
上記記憶手段には、調光レベルを１００％あるいはほぼ１００％にしていくときの上記小エリアの順番と、調光レベルを下げていくときの小エリアの順番とを記憶し、
コントローラは、上記全エリアの人数が増加したとき上記調光レベルを１００％あるいはほぼ１００％にしていくときの小エリアの順番にしたがって当該小エリアの照明を制御し、人数が減少したとき調光レベルを下げていくときの小エリアの順番にしたがって、当該小エリアの照明を制御する機能と
を備えた請求項１に記載された自動調光システム。
【請求項３】
コントローラは、全エリアの人数が減少して全エリアの現存人数があらかじめ設定された基準値を下回ったとき、制御すべき小エリアの調光レベルを徐々に下げる機能を備えた請求項２に記載された自動調光システム。
【発明の詳細な説明】
【技術分野】
【０００１】
この発明は、全エリアの照明を効率よく制御する自動調光システムに関する。
【背景技術】
【０００２】
周囲のいろいろな環境を考慮して照明制御するシステムが従来から知られている。
この従来から知られているシステムは、すべて調光をテーマにしたもので、その目的のほとんどは、節電あるいは省エネルギーであった。
そのために、そのほとんどが、周囲の環境に応じて照明の照度を一律に制御するものである。
【先行技術文献】
【特許文献】
【０００３】
【特許文献１】特開２００３−１６８５７３号公報
【発明の概要】
【発明が解決しようとする課題】
【０００４】
上記のようにした従来の調光システムでは、人の存在や日差しなど、周囲の環境に応じて照明を一律に制御するので、環境の変化によっては、急に照明が暗くなることがあり、利用者に不快感を与えるという問題があった。
また、照明を一律に制御することによって、確かに省エネルギーなどは実現できるが、光によって人を誘導したり、あるいは光によってエリアを区切ったりできず、照明が持っている多様な機能を十分に活かしきれていないという問題があった。
【０００５】
このような中で、例えば、大学の大教室などは、たとえ少人数の受講者しかいなくても、教室のすべての照明を点灯していた。少人数しかいない大教室のすべての照明を点灯すること自体、エネルギーロスが大きいが、それだけではなく、次のような問題があった。
大きなエリアを少人数で使用したとしても、使用後の清掃や片付けの範囲までも小さくなるわけではない。結局は、全エリアで清掃や片付けをしなければならず、使用範囲の割には、手間がかかるという問題があった。
【０００６】
この発明の目的は、照明が持っているいろいろな機能を十分に活かしながら自動的に調光できる装置を提供することである。
【課題を解決するための手段】
【０００７】
第１の発明は、特定の全エリアを疑似的に複数の小エリアに区分し、これら小エリア単位で制御可能な照明と、人を検出する検出手段と、上記小エリアと照明との対応関係を記憶する記憶部と、上記照明を制御するコントローラとを備えている。
そして、上記コントローラは、上記検出手段の検出情報に基づいて上記全エリアの人数を演算する機能と、全エリアの人数に対応して、照明を制御する小エリアを特定する機能と、上記特定された小エリアにおける照明を人数に応じて制御する機能とを備えている。
【０００８】
第２の発明は、上記記憶手段には、調光レベルを１００％あるいはほぼ１００％にしていくときの上記小エリアの順番と、調光レベルを下げていくときの小エリアの順番とを記憶し、コントローラは、上記全エリアの人数が増加したとき上記調光レベルを１００％あるいはほぼ１００％にしていくときの小エリアの順番にしたがって当該小エリアの照明を制御し、人数が減少したとき調光レベルを下げていくときの小エリアの順番にしたがって、当該小エリアの照明を制御する機能を備えている。
【０００９】
第３の発明は、コントローラが、全エリアの人数が減少して全エリアの現存人数が上記基準値を下回ったとき、制御すべき小エリアの調光レベルを徐々に下げる機能を実現する。
【発明の効果】
【００１０】
第１の発明によれば、全エリアの人数に対応して、小エリア単位で照明を制御できるので、全エリアの照明を一律に制御するのとは異なり、節電による利用者の不快感も少なくできる。
また、小エリアを光によるパーティションとしての区分ができるので、上記大教室などでは、受講者数に応じて、１００％あるいはほぼ１００％の調光レベルを保つエリアを小さくしたり大きくしたりできる。したがって、明るいところに人を誘導しながら、使用範囲も人数に応じて意図的にしかも簡単に変更できる。
【００１１】
第２の発明によれば、優先順位にしたがって、小エリアの調光レベルを１００％あるいはほぼ１００％にしたり、調光レベルを下げたりできるので、少人数のときに、限られた小エリアの調光レベルを１００％あるいはほぼ１００％にすることによって、少人数を光によって一箇所に誘導することができる。
また、人数が減少していくときには、その減少にしたがって、全エリアにおける特定のエリアから徐々に暗くすることができる。
【００１２】
また、人数に応じて小エリアを特定できるので、例えば、全エリアのうち、出入口に近い方の小エリアの調光レベルを常時１００％あるいはほぼ１００％に保ち、出入口から遠いところの照明は、人数が少なくなったときに優先的に調光レベルを下げるといったように、照明の制御に優劣の順位をつけることができる。
上記のように照明の制御に優劣の順位がつけられるので、使用目的や想定できる使用状況を考慮しながら、調光レベルを１００％あるいはほぼ１００％に保つ小エリアと調光レベルを下げる小エリアとを選択できる。
【００１３】
第３の発明によれば、全エリアの人数が減少して全エリアの現存人数が基準値を下回ったとき、制御すべき小エリアの調光レベルを徐々に下げるようにしたので、急に暗くなったりして、利用者に不快感を与えることはない。
【図面の簡単な説明】
【００１４】
【図１】図１はブロック図である。
【図２】図２は全エリアを６の小エリアに区分した概略図である。
【図３】図３は小エリアの調光レベル状態を示す調光レベルテーブルである。
【図４】図４は人数と点灯エリアとの対応関係を示した対応テーブルである。
【図５】図５はメイン処理のフローチャート図である。
【図６】図６は点灯エリア設定処理のフローチャート図である。
【図７】図７は調光制御処理のフローチャート図である。
【図８】図８は調光レベルを段階的に下げていくときのグラフである。
【発明を実施するための形態】
【００１５】
図示の実施形態は、例えば図書館や大学の大教室のような大きなスペースの全エリアＥを、図２に示すように疑似的に６つの小エリアｅ１〜ｅ６に区分するとともに、それら小エリアｅ１〜ｅ６ごとにこの実施形態では照明Ｌを設けている。これら照明Ｌのそれぞれは、小エリアｅ１〜ｅ６に対応付けた調光制御ユニットｓｕ−１〜ｓｕ−６によって調光制御される。
また、上記全エリアＥの出入口１には、入室者検出手段２及び退室者検出手段３を設けているが、これら検出手段２，３は、人の移動方向によって入室者あるいは退室者を判定できるようにしている。
【００１６】
そして、上記６つの照明を制御するコントローラＣには、上記入室者検出手段２及び退室者検出手段３が検出した情報に基づいて、人数の増減を演算する人数の増減演算部４、人数の増減演算部４の増減数から全エリアＥにおける人数を演算する全エリア人数演算部５、小エリアｅ１〜ｅ６のいずれのエリアを点灯させるかの設定をする点灯エリア設定部６、照明の調光レベルを設定する調光レベル設定部７を備えている。
【００１７】
また、記憶手段ｍには、全エリア人数記憶部８、調光レベル記憶部９、人数と点灯エリアとの対応関係を記憶する対応テーブル記憶部１０、点灯フラグが立っているか否か等を記憶するフラグ等記憶部１１を備えている。
上記全エリア人数記憶部８は、上記全エリア人数演算部５で演算した結果を記憶するとともにその記憶データを全エリア人数演算部５に受け渡す機能を果たす。
【００１８】
上記調光レベル記憶部９は、上記調光レベル設定部７が設定した調光レベルを図３に示す調光レベルテーブルとして記憶するとともにその記憶データを調光レベル設定部７に受け渡す機能を果たす。
また、上記図３に示した調光レベルテーブルは、各小エリアとそれら小エリアにおける現状の調光レベルとを対応させて示している。
また、調光レベルとは、当該照明Ｌの照度を百分率で示すもので、この実施形態においては、小エリアを暗くしていくときは、その調光レベルが下げられる。したがって、例えば、図３に示す小エリアｅ３のレベル５０％は、調光レベルが１００％あるいはほぼ１００％の状態から下げる方向にあるときの調光レベルを示すものである。なお、以下には、調光レベル１００％及びほぼ１００％を、単に調光レベル１００％と表現する。
一方、最も暗い調光レベル０％あるいはほぼ０％にある照明Ｌの調光レベルを１００％にするときには、一気に明るくするので、調光レベルとしては０％あるいはほぼ０％から１００％に移行するもので、その中間のレベルは存在しない。
なお、以下には、調光レベル０％及びほぼ０％を、単に調光レベル０％と表現する。
【００１９】
また、上記対応テーブル記憶部１０は、全エリアＥにおける人数と点灯エリアとの対応関係を図４に示した対応テーブルとして記憶するとともにその記憶データを上記点灯エリア設定部６に受け渡しする機能を果たす。この対応テーブルは、小エリアｅ６の調光制御順を示している。例えば、小エリアｅ１は、どの小エリアｅ２〜ｅ６よりも優先して調光レベルが１００％に保たれるようにしている。反対に小エリアｅ６は、人数が減ったときに最初に調光レベルを下げられる。
【００２０】
なお、図４の対応テーブルでは、１１〜２０人の現在の設定欄に丸印がついているが、それは上記全エリア人数演算部５が演算した人数が１１〜２０人の範囲にあるということで、その人数は全エリア人数記憶部８に記憶されている。そして、全エリア人数記憶部８に記憶されているこの人数データに応じて、点灯エリア設定部６が対応テーブルの１１〜２０人の欄に丸印を付したことになる。
【００２１】
上記フラグ等記憶部１１は、点灯フラグを設定しているかどうかを記憶するとともにそのデータを上記点灯エリア設定部６に受け渡しする機能を果たす。また、このフラグ等記憶部１１は、点灯エリア設定部６が人数の増減を判定したとき、その回数も記憶する。
上記調光制御ユニットｓｕ−１〜ｓｕ−６は、小エリアｅ１〜ｅ６に対応させた照明Ｌごとに設けられるとともに、調光レベル設定部７からの情報に基づいて所定の照明Ｌに制御信号を出力する信号変換部１２を備えている。
【００２２】
上記のように構成された自動調光システムのコントローラＣは、図５〜図７のフローチャートにしたがって各処理を実行する。
メイン処理はステップＳ１〜Ｓ９のフローチャートにしたがって処理されるが、このメイン処理において、ステップＳ１で初期設定されるとともに、点灯エリア設定処理間隔Ｔ１及び調光制御処理間隔Ｔ２を計測するタイマーをスタートさせる。上記点灯エリア設定処理間隔Ｔ１は、例えば点灯エリア設定を変更するときの処理間隔であり、調光制御処理間隔Ｔ２は、調光レベルを下げるときの処理間隔である。
【００２３】
上記タイマーで計測した点灯エリア設定処理をするための計測時間Ｔｉが、ステップＳ２において上記処理間隔Ｔ１に達しているかどうかを判定する。もし、上記計測時間Ｔｉが上記処理間隔Ｔ１を超えるＴｉ≧Ｔ１の関係になっていれば、ステップＳ３において計測時間Ｔｉをゼロに設定して、ステップＳ４に移行する。このステップＳ４では、図６に示す点灯エリアをどのように設定するかの点灯エリア設定処理ステップＳ２１〜Ｓ２７が実行される。また、上記計測時間Ｔｉが上記処理間隔Ｔ１を超えないＴｉ＜Ｔ１の関係になっていれば、上記点灯エリア設定処理を実行するステップＳ４を飛び越して後で説明するステップＳ６にいたる。
したがって、図６に示した点灯エリア設定処理ステップＳ２１〜Ｓ２８は、点灯エリア処理間隔Ｔ１で１回しか実施されない。
【００２４】
点灯エリア処理を実行するときには、コントローラＣは、ステップＳ２１において入室者検出手段２及び退室者検出手段３からの情報を取得するとともに、その取得情報に基づいて、ステップＳ２２において人数の増減演算部４が人数の増減を算出する。さらに、ステップＳ２３において人数の増減演算部４が演算した人数に基づいて、全エリア人数演算部５が、全エリアＥの現在の人数を演算するとともに、このときの全エリアＥの人数を、全エリア人数記憶部８に記憶させる。
【００２５】
そして、点灯エリア設定部６は、ステップＳ２４〜Ｓ２７の処理を実行する。すなわちステップＳ２４において、全エリア人数演算部５が演算した全エリアの人数と、対応テーブル記憶部１０に記憶された図４に示す対応テーブルにおいて丸印が付されている現在の設定人数とを対比し、その増減を判定する。例えば、現在の設定人数が図４に示す丸印がついている１１〜２０人だとすると、全エリア人数がその１１〜２０人の人数枠より増えているか減っているかを判定する。
なお、上記対応テーブルにおける上記丸印は、スタート時には１０人以下の欄に付されるが、その後、全エリア人数演算部の演算結果に基づいて、上記丸印が付される欄が変化するものである。
【００２６】
また、点灯エリア設定部６は上記のように人数の増減を判定するとともに、増減の判定回数をフラグ等記憶部１１に記憶させる。点灯エリア設定部６の判定の結果、人数に変化がなければステップＳ５に進む。
点灯エリア設定部６が、人数の増加と判定したら、ステップＳ２５でその判定回数を上記フラグ等記憶部１１に１回を記憶させるとともに、フラグ等記憶部１１に記憶された判定回数があらかじめ設定された回数Ｎに達しているかどうかを判断する。もし、Ｎ回に達していなければステップＳ５に進む。
【００２７】
そして、上記のように人数の増加回数がＮ回連続していれば、点灯エリア設定部６はステップＳ２６で点灯フラグをＯＮにしてから、ステップＳ２７において点灯エリア設定の更新すなわち図４に示す対応テーブルの丸印を更新する。なお、上記点灯フラグをＯＮにしたときには、それを点灯エリア設定更新フラグとしてフラグ等記憶部１１に記憶させる。
このように人数の増加回数をカウントするようにしたのは、短い時間で人の出入りがあったとき、それに応じて照明Ｌを頻繁に調光すると、室内にいる人に不快感を与えてしまうので、そのようなことがないように、人数の増加を所定の回数連続してカウントしたときにのみ、点灯エリアの設定すなわち図４に示した丸印の位置設定を更新するようにしている。
【００２８】
一方、上記点灯エリア設定部６の判定の結果、人数に変化がなければ、ステップＳ５に進む。
点灯エリア設定部６が、人数が減少していると判定したら、その判定回数を上記フラグ等記憶部１１に記憶させるとともに、ステップＳ２８においてフラグ等記憶部１１に記憶された判定回数があらかじめ設定された回数Ｎ’に達しているかどうかを判定する。もし、判定回数が連続Ｎ’回に達していなければステップＳ５に進む。
【００２９】
そして、上記のように人数の減少回数がＮ’回連続していれば、ステップＳ２７で点灯エリア設定の更新すなわち図４に示す対応テーブルの丸印を更新する。
このように人数の減少回数をカウントするようにしたのは、短い時間で人の出入りがあったとき、それに応じて照明Ｌの調光制御を頻繁にすると、室内にいる人に不快感を与えてしまうので、そのようなことがないように、人数の減少を所定の回数連続してカウントしたときにのみ、点灯エリアの設定すなわち図４に示した丸印の位置設定を更新するようにしている。
【００３０】
なお、この実施形態では、上記人数の増加回数Ｎに対して、減少回数Ｎ’の方が大きな数になるように設定されている。その理由は、人数が少なくなって点灯エリアを減少させ、全体的に暗くしていくときには、なるべくゆっくりと暗くするためである。例えば、小エリア単位で照明Ｌが短い時間でどんどん消えていくと、室内にいる人が短い時間間隔で明るくしていくときよりもさらに大きな不快感を覚えるはずである。そこで、明るくしていくときよりも、さらに、ゆっくり暗くするために連続回数をＮ＜Ｎ’に設定している。
【００３１】
上記のようにステップＳ２７で点灯エリア設定の更新がされたら、今度は、調光レベル設定部７がステップＳ５に進み、点灯フラグがＯＮになっているかどうかを判定する。なお、点灯フラグがＯＮになっているとは、上記ステップＳ２６を通過した場合である。
いずれにしても、ステップＳ５においては、上記点灯フラグがＯＮになっているかどうか判定されるとともに、点灯フラグがＯＮになっていれば、調光レベル設定部７によって、ステップＳ８に進んで、図７に示した調光制御処理フローのステップＳ３１〜Ｓ３６が実行される。
【００３２】
上記ステップＳ５において、点灯フラグがＯＮになっていないＯＦＦ状態にあるとき、言い換えると、人数に変更がないとき、あるいはＮ’回連続して人数の減少があったとき、調光レベル設定部７は、ステップＳ６で調光処理間隔Ｔ２に対して、タイマーで計測した計測時間Ｔｃが上記調光処理間隔Ｔ２を超えるＴｃ≧Ｔ２の関係にあるかどうかを判定する。
もし、上記計測時間Ｔｃが上記調光処理間隔Ｔ２を超えないＴｃ＜Ｔ２の関係にあれば、ステップＳ２に戻るが、上記計測時間Ｔｃが上記調光処理間隔Ｔ２を超えるＴｃ≧Ｔ２の関係になっていれば、ステップＳ７に進んでＴｃ＝０に設定するとともに、さらに上記ステップＳ８に進んで、上記のように調光レベル設定部７が上記した調光制御処理フローのステップＳ３１〜Ｓ３６を実行する
【００３３】
したがって、点灯フラグがＯＮの場合と、タイマーで計測した上記計測時間Ｔｃが上記調光処理間隔Ｔ２の範囲にあるときにのみ調光制御処理が実行され、それ以外では調光制御処理は実行されない。
調光レベル設定部７が実行する調光制御処理は、上記小エリアｅ１〜ｅ６単位で１回ずつ実行される。したがって、調光制御処理が、図７にあるように、ｍ回すなわちこの実施形態では小エリアの数分である６回繰り返されることになる。
そして、ステップＳ３１において、調光レベルテーブルと対応テーブルとが一致しているかどうかが判定される。
【００３４】
なお、図４の対応テーブルでは、現在の設定欄に丸印がついているのが１１〜２０人の欄であるが、いずれに丸印をつけるかは、すでに説明したとおりである。
そして、上記したように各小エリアｅ１〜ｅ６ごとに調光制御処理が実行されるので、最初は、小エリアｅ１について処理が実行される。
そして、小エリアｅ１は、対応テーブルにおいて点灯エリアに属するとともに、調光レベルテーブルにおいて調光レベルが１００％に設定されているので、両テーブルは一致していることになる。同様に小エリアｅ２も一致していることになる。
【００３５】
また、小エリアｅ３は、対応テーブルでは点灯エリアに属していないにもかかわらず、調光レベルテーブルではその調光レベルが５０％に設定されている。言い換えると、小エリアｅ３は、対応テーブルでは本来調光レベルが０％に設定されるべきエリアにもかかわらず、調光レベルテーブルでは、調光レベルが５０％に設定されていることになる。したがって、小エリアｅ３に関しては、調光レベルテーブルと対応テーブルとは一致していないことになる。ただし、調光レベルが５０％ということは、それが１００％の状態から徐々に減少してきた状況である。なぜなら、調光レベルが０％から１００％に向かうときには、上記したように一気に１００％に到達させるようにし、中間のレベルが存在しないからである。
【００３６】
小エリアｅ３では、上記のように両テーブルが一致していないので、ステップＳ３２に移行し、点灯すべきかどうかを判定する。ただし、対応テーブルの１１〜２０人に対応する現在の設定欄に丸印が付されているということは、上記したように人数が２１〜３０人の範囲から１１〜２０人の範囲に減ってきたことを意味する。したがって、小エリアｅ３は点灯すべき方向にはないことになり、ステップＳ３５に移行することになる。
上記ステップＳ３５では、小エリアｅ３に関して、あらかじめ設定したルールにしたがって調光レベルを下げるが、この実施形態のルールに基づいて調光レベルを下げるときの時間との関係を示したのが図８である。
【００３７】
上記図８は、縦軸に調光レベルの百分率を示し、横軸に時間Ｔを示すとともに、例えば図書館など１人の平均利用時間をＴｓとし、その２倍の時間２Ｔｓで調光レベルを０％にするようにしている。
上記のように平均利用時間Ｔｓに対して、２倍の時間２Ｔｓで調光レベルを０％にしたのは、平均利用時間Ｔｓを過ぎれば、人は当該全エリア例えば上記図書館などから退出し、人数は確実に減っているであろうことを想定するとともに、その平均利用時間Ｔｓの２倍の時間２Ｔｓをかけて、調光レベルを０％にして実質的に消灯しても、ほとんどの場合、利用者に迷惑をかけないと考えたからである。
【００３８】
また、小エリアｅ３を時間２Ｔｓかけてゆっくり暗くしていけば、小エリアｅ３にいる人は徐々に暗くなっていくので、それほど不快や不便を感じないであろうということと、上記１１〜２０人の範囲で人数が増えて、新たに人が入ってきても、その人は明るい小エリアｅ１，ｅ２の方に集まるであろうことを想定している。
また、明るい小エリアｅ１，ｅ２にいる人は、周りが徐々に暗くなっても自分がいるところが明るければ、それほど不便を感じないであろうことも想定している。
【００３９】
そして、上記図８では、調光レベルの百分率を１０％区切りにするとともに、時間を調光制御処理間隔Ｔ２で区切っている。そして、上記したようにステップＳ３５では調光レベルを下げることになるので、上記調光制御処理間隔Ｔ２ごとに１０％ずつ段階的に調光レベルが下げられることになる。
上記のようにしてステップＳ３５において、調光レベルテーブルに段階的に下がっていく調光レベルがセットされたらステップＳ３６に移行し、その調光レベル信号を小エリアｅ３に対応する調光制御ユニットｓｕ−３に送信する。この調光レベル信号を受信した調光制御ユニットｓｕ−３は、信号変換部１２で変換された信号に基づいて、小エリアｅ３に対応する照明Ｌを制御する。
【００４０】
また、対応テーブルにおける現在の設定欄の丸印が、例えば２１〜３０人のところにあったときには、小エリアｅ３の調光レベルは１００％にセットされていなければならない。したがって、この場合には、小エリアｅ３に関して、ステップＳ３１の判定は調光レベルテーブルと対応テーブルとが一致していないと判定し、ステップＳ３２に移行するとともに、このステップＳ３２で点灯と判定されることになる。ステップＳ３２で点灯と判定されれば、さらにステップＳ３３に移行する。
【００４１】
上記ステップＳ３３では、上記丸印が付された小エリアｅ３の調光レベルを１００％にセットする。
なお、丸印に対応する小エリアは、それらのすべての調光レベルが１００％に設定されていなければならない。なぜならば、丸印が付された小エリアは、設定された範囲の人数がすでに存在することになるので、当該小エリアが暗くなっていては利用者に不快感を与えるからである。
したがって、図３の調光レベルテーブルにおける小エリアｅ３の場合には、調光レベルが５０％にセットされているが、それを１００％に修正してセットされることになる。
【００４２】
上記のようにしてステップＳ３３において、調光レベルテーブルに調光レベルをセットしたらステップＳ３４に移行し、その調光レベル信号を小エリアｅ３に対応する調光制御ユニットｓｕ−３に送信する。この調光レベル信号を受信した調光制御ユニットｓｕ−３は、信号変換部１２で変換された信号に基づいて、小エリアｅ３に対応する照明Ｌを制御する。
上記のようにしてすべての小エリアｅ１〜ｅ６の調光制御処理が終了したら、ステップＳ９に移行して点灯フラグをＯＦＦにし、ステップＳ２に戻ることになる。
なお、小エリアｅ４〜ｅ６に関しては、ステップＳ３１において調光レベルテーブルと対応テーブルとが一致していると判定されるので、ステップＳ９に移行するとともに、点灯フラグをＯＦＦにセットしてステップＳ２に戻る。
【００４３】
以上に説明した実施形態によれば、全エリアの人数に対応して、小エリア単位で照明を制御できるので、全エリアの照明を一律に制御するのとは異なり、節電による利用者の不快感も少なくできる。
また、小エリアを光によるパーティションとしての区分ができるので、上記大教室などでは、受講者数に応じて、点灯エリアを小さくしたり大きくしたりできる。したがって、明るいところに人を誘導しながら、使用範囲も人数に応じて意図的にしかも簡単に変更できる。特に、上記実施形態における照明ＬをＬＥＤ照明にすれば、パーティションとしての効果がさらに大きくなる。
【００４４】
さらに、優劣の順位にしたがって、小エリアの調光レベルを１００％にしたり、調光レベルを下げたりできるので、少人数のときに、限られた小エリアを明るくして、少人数を光によって一箇所に誘導することができる。
また、人数が減少していくときには、その減少にしたがって、全エリアの限られたところから徐々に暗くすることができる。
【００４５】
また、人数に応じて小エリアを特定できるので、例えば、全エリアのうち、出入口１に近い方の小エリアの照明はその調光レベルを常時１００％に保ち、出入口から遠いところの照明は、人数が少なくなったときに優先的に調光レベルを下げるといったように、照明の制御に優劣をつけることができる。なお、この優劣の順位は、実施形態において対応テーブルに示されていることは上記したとおりである。
【００４６】
上記のように照明の制御に優劣がつけられるので、使用目的や想定できる使用状況を考慮しながら、１００％の調光レベルを保つ小エリアと、調光レベルを下げる小エリアとを選択できる。
さらに、全エリアＥの人数が減少して全エリアＥの現存人数が、図４の対応テーブルに示した基準値を下回ったとき、制御すべき小エリアの照明の調光レベルを徐々に下げるようにしたので、急に暗くなったりして、利用者に不快感を与えるようなことがない。
【産業上の利用可能性】
【００４７】
大きな広さを持った室であって、その利用者の数が状況に応じて大きく変わる施設に用いるのに最適である。
【符号の説明】
【００４８】
Ｅ                全エリア
ｅ１〜ｅ６          小エリア
Ｃ                コントローラ
２                入室者検出手段
３                退室者検出手段
ｍ                記憶手段
Ｌ１〜Ｌ６          照明
ｓｕ−１〜ｓｕ−６  調光制御ユニット
４                人数の増減演算部
５                全エリア人数演算部
６                点灯エリア設定部
７                調光レベル設定部
８                全エリア人数記憶部
９                調光レベル記憶部
１０              人数と点灯エリア対応テーブル記憶部
１１              フラグ等記憶部
１２              信号変換部
Ｔ１              点灯エリア設定処理間隔
Ｔ２              調光制御処理間隔
Ｔｉ，Ｔｃ        計測時間
Ｔｓ              利用時間
２Ｔｓ            ２倍の時間
【図１】
2015032571.tif 000003
【図２】
2015032571.tif 000004
【図３】
2015032571.tif 000005
【図４】
2015032571.tif 000006
【図５】
2015032571.tif 000007
【図６】
2015032571.tif 000008
【図７】
2015032571.tif 000009
【図８】
2015032571.tif 000010